(57)【特許請求の範囲】
【請求項１】
一つ又は複数の不織層と一つ又は複数のフィルム層からなる不織布合成構造であって、上記不織層と上記フィルム層が熱可塑性プラスチックからなり、構造をなしている全層が、乳酸から誘導した共重合体ポリマーあるいは乳酸から誘導したポリマーの混合体からなるグループから選択されたもので構成されていることを特徴とする不織布合成構造。
【請求項２】
上記乳酸が、Ｄ型乳酸またはＬ型乳酸のいずれかであることを特徴とする請求項１の不織布合成構造。
【請求項３】
上記乳酸が、ＤＬ型乳酸であることを特徴とする請求項１の不織布合成構造。
【請求項４】
上記乳酸が、Ｄ型乳酸とＬ型乳酸の混合物であることを特徴とする請求項１の不織布合成構造。
【請求項５】
上記ポリマー、共重合体、混合ポリマーの平均の分子量が１０，０００〜１，０００，０００の間であることを特徴とする請求項１の不織布合成構造。
【請求項６】
上記各層に用いる繊維の綿密度が、０．０５〜２０ｄｔｅｘの間であることを特徴とする請求項１ないし５のいずれかの不織布合成構造。
【請求項７】
上記フィルム層の厚さが、０．００１〜１ｍｍの間であることを特徴とする請求項１ないし６のいずれかの不織布合成構造。
【請求項８】
上記全ての層が、溶融紡糸法、乾燥法、湿潤法、溶融吹き込み法のいずれかで製造したものであることを特徴とする請求項１ないし７のいずれかの不織布合成構造。
【請求項９】
請求項１ないし８の不織布合成構造を製造するプロセスであって、上記構造を構成する全層を、ホットカレンダリング、ニードルパンチング、ウォータージェット結合、化学的結合、オーバーブローイング、フィルム押出し成形のいずれかで形成することを特徴とする不織布合成方法。
【請求項１０】
上記構造を構成する不織布及びフィルムの全層が、互いに結合していることを特徴とする請求項９の不織布合成方法。
【発明の詳細な説明】
【０００１】
【発明の属する技術分野】
本発明は、１つまたは複数のフィルムと組み合わせる１つまたは複数の不織布の層、あるいは１つまたは複数の不織布を一緒に組み合わせて層を構成した不織布合成構造及び目的とする合成構造の製造方法に関する。
【０００２】
【従来の技術及び発明が解決しようとする課題】
従来、上述のような合成製品は、ポリオレフィンから合成される。このタイプの合成物は、おしめ、生理用ナプキン、保護服、外科用マスク、医療用分野での掛け布、吸収と濾過のためのある種の製品、農業における植物の保護や根覆いとして用いられている。これらは自然に分解しない安定材料であるポリマーで製造され、一度だけ使用されて使い捨てられる。
【０００３】
廃棄物の量は地球全体で増大し続けており、地球環境はますます汚染されてきている。フィルム、衛生用品用の不織布（おしめ、生理用ナプキン等）、医療用品の不織布（ガウン、外科用掛け布等）、農業用品の不織布（霜避け、根覆い等）のような使用済み製品が固形廃棄物の多くを占める。この問題の解決策としては、分解できるポリマー、特に生物分解性のポリマーを使用することである。
【０００４】
これらは乳酸（ＰＬＡ）から誘導したポリマーが主であり（Ｂｏｅｈｒｉｎｇｅｒ  Ｉｎｇｅｌｈｅｉｍ：ＲＥＳＯＭＥＲ）、ポリカプロラクトン（ＰＣＬ）（Ｕｎｉｏｎ  Ｃａｒｂｉｄｅ：ＴＯＮＥ、Ｉｎｔｅｒｏｘ  Ｃｈｅｍｉｃａｌｓ：ＣＡＰＡ）、酪酸エステル／吉草酸エステルの水酸基ポリマー（ＰＨＢ／Ｖ）ベースの共重合体（Ｚｅｎｅｃａ  Ｂｉｏ  Ｐｒｏｄｕｃｔｓ：ＢＩＯＰＯＬ）、ポリグリコリック酸（ＰＧＡ）ベースのポリマー等がある。幾つかの特許または特許出願がこの分野に存続する。例えば、１９９３年４月１９日出願の欧州特許９３３０３００９．９号（出願人：昭和電工株式会社）は、使い捨てのおむつ（不織布部分）の材料として使用し得る生物分解性の脂肪酸ポリエステルに関するもので、おむつには分解できるポリエステルの不織布が液体が浸透する表面の織物と、漏れを防止するために使用されている。ＰＣＴ／ＵＳ９２／００２２９記載の「新しいポリエステルと使い捨てのおしめのような合成製品でのそれらの使用」（Ｅ．Ｉ．ＤＵＰＯＮＴ  ＤＥ  ＭＥＭＯＵＲＳ  ＡＮＤ  ＣＯＭＰＡＮＹ）は、新しい生物分解性のポリエステルベースの繊維、フィルム、成形品等で構成される使い捨て製品の幾つかのタイプに関連する。
【０００５】
これらのポリマーは、今日では医療分野でよく知られている。それらは、縫合糸の原材料として使用されている。例えば、Ｄ．Ｅ．Ｃｕｔｒｉｇｈｔ等の論文”Ｈｉｓｔｏｌｏｇｉｃ  ｃｏｍｐａｒｉｓｏｎ  ｏｆ  ｐｏｌｙｌａｃｔｉｃａｎｄ  ｐｏｌｙｇｌｙｃｏｌｉｃ  ａｃｉｄ  ｓｕｔｕｒｅｓ”「乳酸ポリマー縫合糸とグリコール酸ポリマー縫合糸の生物組織学的な比較」Ｏｒａｌ  Ｓｕｒｇ．３２、１６５−１７３、１９７１年がある。種々のタイプの移植器具（ねじ、棒、板）としては、Ｒ．Ｋ．Ｋｕｌｋａｒｎｉ等の”ｐｏｌｙｌａｃｔｉｃ  ａｃｉｄ  ｆｏｒ  ｓｕｒｇｉｃａｌ  ｉｍｐｌａｎｔｓ”「手術用移植器のための乳酸ポリマー」１９６６年Ａｒｃｈ．Ｓｕｒｇ．，９３，８３９−８４３が出版されており、Ｅｄｓ等が積極的な原理の規制された拡大を”Ｂｉｏｄｅｇｒａｄａｂｌｅ  ｐｏｌｙｍｅｒｓ  ａｓ  ｄｒｕｇ  ｄｅｌｉｖｅｒｙ  ｓｙｓｔｅｍｓ：ｍａｎｕｆａｃｔｕｒｉｎｇ  ｍｅｔｈｏｄｏｌｏｇｙ，  ｒｅｌｅａｓｅ  ｃｏｎｔｒｏｌ  ａｎｄ  ｔａｒｇｅｔｉｎｇ  ｐｒｏｓｐｅｃｔｓ”「薬の伝搬システムとしての製造法、制御の解放及び目標の見込みとしての生物分解できるポリマー」Ｊ．Ｂｉｏａｃｔｉｖｅ  Ｃｏｍｐａｔｉｂｌｅ  Ｐｏｌｙｍｅｒｓ１９９０，５，３１５ー３４２で幾つかのシステムを記述しているし、ねじ、釘、棒及び板（ＢＩＯＦＩＸ）を製造しているフィンランドＢＩＯＳＣＩＥＮＣＥ  ＬＩＭＩＴＥＤは、乳酸とポリグリコール酸から誘導するポリマーにより骨折の強化を図った製品を販売している。
乳酸（ＰＬＡ）から誘導されるポリマーは、複数のフィルムと複数の不織層の合成において、今まで使用されていた変質しにくいポリマーの置き換えに最も有望であると思われる。
【０００６】
乳酸ポリマーＰＬＡは、従来のポリマーに匹敵する機械的で物理化学的な特性を得る可能性を提供する（米国特許第４，７４３，２５７号、１９８８年と同第４，９６８，３１７号、１９９０年）。他の生物分解性ポリマーとは異なり、乳酸ポリマーＰＬＡから誘導されるポリマーから細い繊維を比較的に安いコストで製造することは非常に容易である（Ａｈａｍａｄ  Ｙ．Ａ．  Ｋｈａｎ等の”Ｍｅｌｔ  ｐｒｏｃｅｓｓｉｎｇ  ｏｆ  ｐｏｌｙ（ｌａｃｔｉｄｅ）  ｒｅｓｉｎ  ｉｎｔｏ  ｎｏｎｗｏｖｅｎｓ”「不織布へのポリラクチド繊維の融解プロセス」及びフランス特許出願第９３０９６４９号、１９９３年８月２日、欧州特許出願第９４４７００１８６号”Ｎｏｎｗｏｖｅｎ  ｂａｓｅｄ  ｏｎ  ｐｏｌｙｍｅｒｓ  ｄｅｒｉｖｅｄ  ｆｒｏｍ  ｌａｃｔｉｃ  ａｃｉｄ，  ｍａｎｕｆａｃｔｕｒｉｎｇ  ｐｒｏｃｅｓｓ  ａｎｄ  ｕｓｅ  ｏｆ  ｓｕｃｈ  ａｎｏｎｗｏｖｅｎ”「乳酸から誘導されるポリマーをベースとする不織層の製造プロセスとこの種の不織層の用途」ＦＩＢＥＲＷＥＢ  ＳＯＤＯＣＡ）。
【０００７】
複合材料に関する特許は他にも２、３ある。例えば、”Ｄｅｇｒａｄａｂｌｅｌａｍｉｎａｔｉｏｎ  ｃｏｍｐｏｓｉｔｉｏｎ”「分解性薄層構造」と称する１９９２年５月１２日三井東圧化学社出願の第９２／３０４２６９．１号である。この特許は、ＰＬＡ（水酸カルボキシル酸とＰＬＡの共重合体を含む）から誘導するポリマーに関し、これらは包装産業の分野で紙と共に薄層構造として用いられる。
【０００８】
それらの生物分解できる特性に加えて、ＰＬＡから誘導されるポリマーは、砂糖大根または乳漿のような再生可能な材料から製造される。従って、これらのポリマーの製造は、自然のバランス（温室効果）を少しも崩すことなく、石油とか再生不可能なエネルギーを全く使用しない。
【０００９】
【課題を解決するための手段】
本発明は、ＰＬＡから誘導されるポリマーをベースとする合成構造に関する。本合成構造は、複数のフィルム及び／または複数の不織布の層で合成される。
【００１０】
ポリラクチドをベースとする複数のフィルム及び複数の不織布の合成を適当に選択することによって、各用途に適合させ得るようにメカニズムとしての遮断効果、吸収作用、ろ過作用、断熱特性を各層は有する。
【００１１】
不織布を製造するために最もよく使用されるプロセスは、「溶融紡糸」（以下ＳＢという）と称されるプロセスである。また、本発明の構成において、不透水性と遮断効果の供給を意図したフィルム、及び／または別のＳＢあるいは溶融吹付け（以下ＭＢという）層が、ろ過／吸収及び断熱特性を提供するために付加される。
【００１２】
さらに本発明は、熱可塑性プラスチックから製造される１つまたは複数の不織層と熱可塑性プラスチックから製造される１つまたは複数のフィルムから構成される合成構造を構成し、構造をなしている全層が、乳酸に由来するポリマー、共重合体、混合ポリマーからなる。用途によって、Ｄ型乳酸、Ｌ型乳酸あるいはＤＬ型乳酸からの誘導体、あるいはＬ型乳酸とＤ型乳酸の混合のグループから選択された乳酸からの誘導体を使用する。
【００１３】
好ましくは、ポリマー、共重合体、混合ポリマーは、１０，０００〜１，０００，０００の平均分子量を有する。また好ましくは、本発明による構造の不織布の全ての層は、ホットカレンダリング、ニードルパンチング、ウォータージェット結合、化学結合、オーバーブローイング、フィルム押出し成形のグループから選択される１つのプロセスによって生産する。製造プロセスによって、本発明を構成している結合のタイプ、あるいは使用するポリマーのタイプ、不織層とフィルムの層は特定の個々の特性を有する。
【００１４】
【発明の実施の形態】
本発明は、ポリマーまたはＰＬＡをベースとするポリマーを使用する多層合成構造に関する。これらは既に述べた混合ポリマーと同様に、純粋なＬ型乳酸重合体（ＰＬＬＡ）、純粋なＤ型乳酸重合体（ＰＤＬＡ）、比率が０〜１００％に変化するＤＬ型乳酸の共重合体で構成される。ポリマーの平均の分子量は、１０，０００〜１，０００，０００の間で、好ましくは４０，０００〜６００，０００の間で可変とすることができる。顕著な分解は溶解中に生じるので、分子量はこれより小さくすべきでない。より大きい分子量は、多分に溶解中のより高い粘性につながる。
【００１５】
本発明で使われる原料（ＰＬＡから誘導したポリマーまたは複数のポリマー）は、０．１〜１５％の可塑剤、及び／または０．１〜２０％の乳酸モノマー、及び／または０．０１〜５％の種々のタイプの安定剤、顔料と他の染料が含まれる。上記多層合成物の各層は、ＰＬＡをベースとする原材料の種々の合成物と種々の添加物を使用して生産される。上記合成物は、少なくとも１つの層で構成される。これらの層のそれぞれは、不織布またはフィルムであるので、合成物は少なくとも１つの不織布を含む。
【００１６】
各層には、特定の用途が意図される。例えば、外科用掛け布の場合では、上記合成物は吸収と快適性を有する不織布層と遮断（ウィルスに対する遮断）効果を有するフィルム層が含まれる。
【００１７】
上記合成物、特にＭＢ及びＳＢによる合成物は、生理用ナプキン（ポリオレフィンをベースとする合成物が使われる；１９８６年米国特許第４，５７８，０６９号）、あるいは滅菌包み（ＳＢ＋ＭＢ＋ＳＢの３つの積層を用いている１９８８年、米国特許第４，７６６，０２９号）に使用できる。
【００１８】
本発明における不織布は、織物に類似した材料であるが、製織あるいは編成なしで、配向性を持たせた繊維構造を有するように製造される。繊維は、連続的、あるいは５〜５００ｍｍの間の長さを有する。好ましくは、繊維の線密度は０．０５〜２０ｄｔｅｘである。ウェブは結合してもよいし、しなくてもよい。結合は、ニードルパンチング、ウォータージェット結合、化学結合、熱結合によって行い得る。例えばＬｕｒｇｉとＳ−Ｔｅｘプロセス及びＭＢ（溶融吹付け）プロセスのような、不織布を製造する種々のＳＢタイプのプロセスが存在する。
【００１９】
本発明に関係するＳＢタイプのウェブの製造に関してまず説明する。ＳＢによる不織布は、優れた機械的特性（強度と伸縮性と柔軟性）を有する合成構造を提供する。また、その吸収性とろ過性によって用いられる。表面層を構成する幾つかの用途では柔らかさと快適性を提供する。このプロセスでは、好ましくは１４０〜２８０℃の間の温度でポリマーを溶解して単条あるいは２条の押出し機によって押し出し、紡糸用ポンプ（通常はギアポンプ）に運ぶ。フィルターと固定ミキサーをポンプの前段に配置することが多い。
【００２０】
ポンプの後に、溶解したポリマーをフィルタを通して紡糸口金に運ぶ。通常口金は、数千個の小さな穴（直径０．２〜２．０ｍｍ）を有する。ポリマーを紡糸口金を通して紡ぎ、冷却部及び延伸部に運ぶ。冷却は、好ましくは０〜４０℃の温度で、風速０．１〜５ｍ／ｓの冷気によって行い、延伸は、空気の吸入あるいは吹き込み装置によって行う。延伸システムは１つのスリット、あるいは一連の複数のチューブまたは複数のスリットによって形成し得る。吹き込み空気の速度は、好ましくは１０〜４００ｍ／ｓである。吹き込みシステムで得られた繊維は、減少した直径と配向性を持たせた構造を有する。好ましくは延伸比率は、概ね１．１〜２０倍、好ましくは２〜１５倍とする。ＳＢ層で繊維の線密度は、好ましくは０．５〜２０ｄｔｅｘで、更に特定するならば１〜１０ｄｔｅｘである。
【００２１】
紡糸部の次には、繊維をランダムにベルト上に置く積層部が続く。ベルトは、布を４０〜１１０℃、更に特定するならば、６０〜１６０℃に加熱したカレンダーへ運ぶ。カレンダリングの前に、例えば、その他のＳＢ布、ＭＢ布、あるいはそれら両方、及び／または、フィルム層といった合成物を発泡させるために、他の布と並べて置く。速度を変えることによって基準重量を調整することが可能である。基準重量は、用途に応じるが一般に５〜２００ｇ／ｍ2 である。
【００２２】
図１は、ＳＢ（即ちＳ−Ｔｅｘ）プロセスの１つを示し、図中１ａは原材料のホッパー、２ａは押出し器、２’ａはスクリュー、３ａは紡績口、４ａはベルト、５ａはカレンダー、６ａは布をガイドして巻取り張力を調整するための手段、７ａは巻取り器、９ａは繊維冷却手段、１１ａは延伸スリット、１１’ａは延伸のための吸入器である。
【００２３】
上記合成構造のＭＢ布は、吸収と濾過、及び／または、断熱、柔らかさと快適性のような特性を提供する。また合成物に浸透性を与える。ＭＢ装置もポリマーを溶解するための押出し器を有する。温度は、好ましくは１５０〜２８０℃である。ポリマーは、押出し器から紡績口へ運ぶ。
【００２４】
紡績口は、複数の穴を一列に有する。穴は０．２〜２ｍｍの直径を有する。複数の穴の列の側方から発生させる吹出し空気は、繊維状のポリマーを動く布の上に吹き付ける。繊維の線密度は、０．０５〜２ｄｔｅｘである。ＭＢ布の基準重量はベルトの速度によって調整する。
【００２５】
本発明で使用できるＭＢ布の製造を以下に説明する。ＭＢ布は、ＳＢ布上に直接置くことができる。このプロセスは、オーバーブローイングと称される。このプロセスにおいては、ＭＢシステムの前にＳＢシステムを設けるが、両方ともカレンダーの前に設置する。このカレンダーは２つ布を熱で結合する。
【００２６】
図２は、ＭＢプロセスを示し、図中１ｂは原材料のホッパー、２ｂは押出し器、３ｂは紡績口、４ｂは成形ベルト、５ｂはカレンダー、６ｂは巻取り器、９ｂは吹付け器、１１ｂは吸入器である。
【００２７】
上記合成構造のフィルム層は、液体に対する遮断性と掛け布として優れた特性を提供する。しかしながら、このフィルムは多孔性で（１９９３年米国特許第５，２０８，０９８号）、この場合は浸透性と吸収力がある。
【００２８】
最後に、本発明に関するフィルムの製造について説明する。このフィルムは、押出し成形によって合成構造上に置く。押出し成形の温度は、１５０〜２８０℃であり、型のスロット幅は０．２〜２ｍｍである。フィルム層は、別々に押出し、カレンダリングによって合成物に結合させる。１つのみの不織構造を予めカレンダリングで結合することが可能であり、あるいは押出し成形したフィルムを分離している複数の不織層を結合するのに使用することもできる。上記合成構造の１枚のフィルムまたは複数のフィルムの厚さは、好ましくは０．００１〜１．０ｍｍである。
【００２９】
本発明による上記合成構造の製造には幾つかの方法が採用できる。例えば、
１）不織布を、ニードルパンチング、ウォータージェット、オーバーブローイング（ＭＢ）または化学的結合で、例えばカレンダリングや積層により熱的に結合させる。図３中では不織布と結合ユニットを示す。
２）不織布を、熱結合、ニードルパンチング、ウォータージェット、オーバーブローイング（ＭＢ）、あるいは化学的結合媒介によって、カレンダリングまたは積層による１枚または複数のフィルムと組み合わせる。図４中では不織布、フィルム、結合ユニットを示す。
３）不織布を、熱結合、ニードルパンチング、ウォータージェット、オーバーブローイング（ＭＢ）あるいは化学的結合媒介によって、押出し成形−コーティングによる１枚または複数のフィルムと組み合わせる。図５では結合された不織布、押出し成形型、フィルムを示す。
【００３０】
以下本発明の実施例を説明する。
【００３１】
【実施例１】
３枚重ねの医療用途のための不織布を図３に示す。この複合構造は、完全にＰＡＬベース（特にＰＬＬＡ）で、不織布１２を供給している設備（ＳＢ）、不織布１３を供給する１つのＭＢ設備及び別の不織布１４を供給するＳＢ設備という３つの順次連なる設備により製造する。カレンダー１５は種々のウェブを一緒に結合する。
【００３２】
第１の設備によるＳＢ布１２は、１０〜２０ｇ／ｍ2 の基準重量を有し、繊維は１．５〜２．５ｄｔｅｘの線密度を有する。第２の設備によるＭＢ布１３は、５．０〜１５ｇ／ｍ2 の基準重量と０．１〜０．３ｄｔｅｘの線密度を有する。第２の設備によるＳＢ布（１４）の重量は、１０〜２０ｇ／ｍ2 で、繊維は１．５〜３．０ｄｔｅｘの線密度を有する。従って全体重量は、２５〜５５ｇ／ｍ2 である。原材料と添加物のタイプと速度に依存するが、結合表面領域は、８〜１５％のオーダーであり、カレンダリング温度は、６５〜１２０℃である。この合成物の強度は、４０〜１００Ｎ／５ｃｍで、破断に至る伸びは３０〜６０％である。
【００３３】
上記合成構造のＳＢ布１２、１４は、快適性と吸収力特性と同じく強度と伸縮性が改良される。親水性または疎水性のＳＢ布を得るために所は定の添加物を使用する。ＭＢ布１３は、液体遮断特性を提供しようとするものであるが、ガス遮断効果は空気を通す構造なので有しない。ＳＢ布の間に置くＭＢ布は、上記合成構造のしなやかさと快適性を増大させる。この３枚重ねの積層は、手術で用いる外科用ガウンや掛け布における保護服（親水性の内表面と疎水性の外表面を有するもの）に適用できる。医療用分野での使用には、この合成物の構造が消毒に使用される放射線照射に対して抵抗力があるという特性を持たなければならない。ＰＬＡから誘導するポリマーは、所定の安定剤を加えることによって、ガンマ線とベータ線（医療用環境で使用される正常の照射量は２５ｋＧｙあるいは５０ｋＧｙである）に対して安定している。滅菌後の機械的特性の減少は、安定剤を使用することによって１５％以下となる。
【００３４】
【実施例２】
衛生用品に適用できる薄層合成構造を図４に示す。この合成構造は、ＰＬＡ（特に、平均分子量３０，０００〜１５０，０００で、温度を安定させているＡｄｐａｃｋを有するＰＬＬＡ）ベースで、ＳＢ布とＭＢ布の２つ層１６、１７で構成される。これらの布は、９〜１５％の結合領域でカレンダリングによって結合させる。カレンダー１８の温度は、ＭＢ表面では若干低く設定すべきである（約１０〜２０゜弱）。ＳＢ布は１５〜２５ｇ／ｍ2 の重量を有し、ＭＢ布は５〜１０ｇ／ｍ2 に重量を有する。合計重量は２０〜３５ｇ／ｍ2 、強度は２５〜５０Ｎ／ｍ2 、破断での伸びは３０〜５０％となろう。
【００３５】
上記合成物構造では、ＳＢ布は満足できる機械的特性を提供し、液体に対しては遮断効果があり、気体に対しては透過効果を有するＭＢ布を補助する。
【００３６】
【実施例３】
農業用品のための合成構造を図５及び図６に示す。農業用途での使用を意図したＰＬＡをベースとする合成構造は、１枚のＳＢ布２１とフィルム２２の１つの層から構成される。本構造は、ＳＢ布上のフィルム２２の１つの層の押出しコーティング１９（図５）、あるいは熱結合によるこれらの２つの層２１、２２の積層（図５）によって製造できる。黒い染料（カーボンブラック、重量当たり０．５〜１．５％）を、根覆いに適する不透明な構造を得るために両方の層に使用する（不分解性のプラスチックのシートを使用している１９７１年米国特許第３，５８０，１９６号参照）。根覆いに適用する場合、このＳＢ布が強度を提供し、そしてフィルムが不透水性を提供する。加えて、ＳＢ層が外表面を成形するときには、雨の後、例えば、イチゴが良い状態で保持されるように、より速く乾燥させる。更に不透過フィルムは、土が乾き切ることを防ぐ。
黒色は太陽光を遮断し、雑草の成長を防げる。即ち生物分解性により、根覆い製品を適切な場所に放置するとある時間（２ヶ月〜３６ヶ月）で分解する。もちろん分解前に除去することもできるし、埋めることもでき、数週間かけて堆肥とすることもできる。
【００３７】
上記合成構造は、特性及び寿命の観点からの仕様に依存するが、好ましくは１５〜７５ｇ／ｍ2 の重量と０．０１〜０．１０ｍｍのフィルム厚を有する。
例えば、１重量％のカーボンブラックを含み、５０ｇ／ｍ2 の重量を有するＳＢ布と厚さ０．０２５ｍｍのフィルムからなる根覆い製品は、破断時の伸びが４０〜６０％、機械的強度が１１０〜１６０Ｎ／ｍ2 という特性を有する。
寿命は、紫外線安定剤を使用することによって変化する。
【００３８】
好ましくは、本発明による構造は、
−単一ポリマー、共重合体あるいは乳酸から誘導する混合ポリマーは、平均分子重量が１０，０００〜１，０００，０００であり、
−本構造をなす不織布の各層で使用される繊維の線密度は、０．０５〜２０ｄｔｅｘであり、
−本構造中の各フィルムの厚さは、０．００１〜１ｍｍの間であり、
−本構造をなす不織布の全ての層は、ＳＢ、乾燥法、湿潤法、ＭＢのグループから選択されたプロセスによって製造するものであり、
−本構造をなす全ての不織布とフィルム層が互いに連続的、あるいは別々に結合するという特性を有する。
【図面の簡単な説明】
【図１】不織布を製造するための溶融紡糸プロセスを設備を示す図である。
【図２】不織布を製造するための融解吹き付けを示す図である。
【図３】医療用の本発明による薄層の３枚重ねの不織布の構造を示す図である。
【図４】衛生用の本発明による薄層の複合構成の構造を示す図である。
【図５】農業用の本発明による複合構造を得るためのプロセスを示す図である。
【図６】農業用の本発明による複合構造を得るためのプロセスを示す図である。
【符号の説明】
１ａ、１ｂ  原材料のホッパー
２ａ、２ｂ  押出し器
２’ａ  スクリュー
３ａ、３ｂ  紡績口
４ａ、４ｂ  ベルト
５ａ、５ｂ  カレンダー
６ａ、６ｂ  巻取り張力を調整手段
７ａ  巻取り器
９ａ、９ｂ  繊維冷却手段
１１ａ、１１ｂ  延伸スリット
１１’ａ  吸入器
１１ｂ  吸入器
１２、１３、１４  不織布
１５  カレンダー
【図１】
0003948030.tif 000002
【図２】
0003948030.tif 000003
【図３】
0003948030.tif 000004
【図４】
0003948030.tif 000005
【図５】
0003948030.tif 000006
【図６】
0003948030.tif 000007